(57)【要約】【課題】  各種原子力発電プラントの蒸気発生器で生成される蒸気を有効に利用して水素を製造する方法を提供する。【解決手段】  本発明の一態様は、固体酸化物電解質を隔膜として用いて電解槽を陽極側と陰極側に仕切った高温水蒸気電解装置の陰極側に水蒸気を供給し、陽極側に還元性ガスを供給して高温で水蒸気電気分解を行うことによって水素を製造する方法において、陰極側に供給する水蒸気として、原子力発電プラントの蒸気発生器からの水蒸気の一部を直接使用することを特徴とする高純度水素の製造方法に関する。【選択図】  図２
2005232522.tif 000002
【特許請求の範囲】
【請求項１】
固体酸化物電解質を隔膜として用いて電解槽を陽極側と陰極側に仕切った高温水蒸気電解装置の陰極側に水蒸気を供給し、陽極側に還元性ガスを供給して高温で水蒸気電気分解を行うことによって水素を製造する方法において、陰極側に供給する水蒸気として、原子力発電プラントの蒸気発生器からの水蒸気の一部を直接使用することを特徴とする高純度水素の製造方法。
【請求項２】
発生する水素ガス中に含まれるアンモニア、ヒドラジン等の不純物を、スクラバーなどで除去することを特徴とする請求項１に記載の水素の製造方法。
【請求項３】
陽極側に供給される還元性ガスとして、原子力発電プラント内に設置した熱分解炉を用いて、発電施設内或いは周辺地域より収集される廃材、生ゴミ、並びに水産業や取水口のスクリーン等により回収される海洋生物等のバイオマスを原料として生成された熱分解ガスを用い、該熱分解ガスは、スクラバーなどで洗浄・除塵して、塩酸及び／又は硫黄化合物の濃度を１０ｐｐｍ以下とすることを特徴とする請求項１又は２に記載の水素の製造方法
【請求項４】
原子力発電プラントの蒸気発生器から水素製造装置に供給される水蒸気量を制御することにより、原子力発電プラントの電気出力を制御可能とすると共に余剰蒸気を効率的に利用して、高純度の水素を発生、貯蔵することを特徴とする請求項１〜３のいずれかに記載の水素の製造方法。
【請求項５】
水素製造装置に供給される蒸気として、加圧水型原子力発電プラントの蒸気発生器から発生する２００〜３００℃の蒸気を使用することを特徴とする請求項１〜４のいずれかに記載の水素製造方法。
【請求項６】
水素製造装置に供給される蒸気として、高速増殖型原子力発電プラントの蒸気発生器から発生する３００〜５００℃の蒸気を使用することを特徴とする請求項１〜４のいずれかに記載の水素製造方法。
【請求項７】
水素製造装置に供給される蒸気として、高温ガス型原子力発電プラントの蒸気発生器から発生する５００〜７００℃の蒸気を使用することを特徴とする請求項１〜４のいずれかに記載の水素製造方法。
【請求項８】
固体酸化物電解質の隔膜によって陽極側と陰極側に仕切られている電解槽、還元性ガスを電解槽の陽極側に供給する管路、水蒸気を電解槽の陰極側に供給する管路を具備し、電解槽の陰極側に供給する水蒸気として、原子力発電プラントの蒸気発生器からの水蒸気の一部を直接使用することを特徴とする水素の製造装置。
【請求項９】
電解槽の陰極側から発生する生成水素ガスを処理して、生成水素ガス中に含まれるアンモニア、ヒドラジン等の不純物を除去する手段を更に具備することを特徴とする請求項８に記載の装置。
【請求項１０】
廃材、生ゴミ、並びに水産業や取水口のスクリーン等により回収される海洋生物等のバイオマスを熱分解して還元性ガスを生成させる熱分解炉、該熱分解炉で生成させた還元性ガスを処理して塩酸及び／又は硫黄化合物の濃度を１０ｐｐｍ以下とする手段、塩酸及び／又は硫黄化合物の濃度が低減せしめられた還元性ガスを電解槽の陽極側に供給する管路、を更に具備することを特徴とする請求項８又は９に記載の装置。
【発明の詳細な説明】
【技術分野】
【０００１】
本発明は、原子力発電プラントで発生する蒸気を利用した水素製造システムに関する。
【背景技術】
【０００２】
石炭、石油等の化石燃料、ウラン、太陽光等の一次エネルギーに対し、一次エネルギーから変換された電気、ガス、ガソリン等を二次エネルギーと呼び、地球上には単体（Ｈ２）としては存在しない水素もこれに含まれる。
【０００３】
一次エネルギーのうち、石炭、石油、天然ガスは何千〜何億年かけて地球に蓄えられたもので、ある意味では太陽エネルギーが固定されたものとも言える有限なエネルギーである。
【０００４】
第二次大戦以降、それまでの石炭主体から使い易い石油主体へと一次エネルギーがシフトするにつれてその使用量も急増した結果、現在の石油埋蔵量は３０〜５０年分と予測され、石油生産も２０１０年過ぎを目処に落ち込んでくると言われている。事実、現在既に石油の重質化と硫黄分の増加が生じており、軽質化と深度脱硫のための水素需要は年々増加している。
【０００５】
他方、ＣＯ２排出量は１９００年以降急激に上昇し、その結果、大気中のＣＯ２濃度は１８００年の２８０ｐｐｍから２０００年には３６０ｐｐｍに上昇した。これが過去１世紀の間の０．６℃の平均気温上昇の原因とする説が有力であり、２１００年までにさらに１．４〜５．８℃の平均気温の上昇の可能性が指摘されている。
【０００６】
その他、ＳＯｘ、ＮＯｘの排出も深刻な問題であり、今後急速な発展が予想される途上国での排出量の増加が懸念される。いずれにしろ地球環境は一旦悪化すると簡単には元に戻らないことの認識が必要である。
【０００７】
このためＣＯＰ３京都議定書では、日本での目標として温室効果ガスを２００８〜２０１２年の間に１９９０年を基準として６％削減することが盛り込まれた。日本では温室効果ガスの約８８％がエネルギー起源のＣＯ２であり、メタンや代替フロン等は数％に過ぎない。２０１０年の温室効果ガスの排出量増加は、現在の伸びからすると８〜９％であり、従ってその時点で１４〜１５％の削減が要求されるが、京都メカニズムによる森林吸収を３．７％とすると、実質的に１０．３〜１１．３％の削減が必要となる。このため政府としては省エネ、コジェネ等による効率向上の他、新エネルギーの積極的導入を図り、２０１０年で全一次エネルギーの３．２％を新エネルギーとすることを目標としている。
【０００８】
二次エネルギーのうち、電気エネルギーは電力網が完備された状態では使い易く、またエネルギーを作る際は別として、使用する時には何の公害物質も出さないクリーンなエネルギーであり、今後も穏やかながら着実に需要が増大する傾向にある。電気エネルギーの最大の欠点は貯蔵出来ないことである。このため、電気はその利用量に合わせて発電しているのが現状であり、使用のピーク時に合わせて過大な設備を有しておく必要がある。今後期待される風力や太陽光等の自然エネルギーは間欠的にしか得られず、使用ピーク時に合わないことも多い。したがって、これらのエネルギーの有効利用を図るためにも貯蔵、輸送が可能な二次エネルギーが必要である。
【０００９】
水素は物質として貯蔵、輸送が可能で、天然には存在しないが比較的簡単な方法で製造することができ、特に水を電気分解して得る場合には原料は無尽蔵である。また、使用後は再び水として原料を補充することができ、このサイクルは化石燃料と異なり極めて短い時間で完結する。このように水素と電力は電気化学システム（水電解あるいは燃料電池）を通じて互換性があり、全ての一次エネルギーから得られるクリーンなエネルギーであると言える。
【００１０】
以上のように有限な化石燃料と地球環境の保護という観点からは、本来、水素エネルギーシステムのゴールは再生可能エネルギーのみで成り立つことであるが、そのためにはまだまだ困難な技術的課題が残されており、実現まで少なくともあと３０〜４０年は必要と言われている。それまでは少なくともエネルギーを取り出す段階では、化石燃料に依存せず温室効果ガスの排出が殆ど無い原子力エネルギーを利用した水素製造が、本来あるべき姿に近く、かつ大量に水素を製造可能な技術として各方面から注目されており、１０００℃近くの高温を達成出来る高温ガス炉を用いた熱化学法による水の直接分解や、天然ガス等の水蒸気改質による水素製造等が検討されている。
【００１１】
このような状況の中、熱分解ガスで発電した電力を利用する電解法により水素を製造する方法が提案されている。かかる方法では比較的簡単な構成で高純度の水素が得られるが、電力消費が極めて大きい。これらの水素製造法に対して、水蒸気を８００℃程度の高温で電解することによって、熱エネルギーを水の分解に利用することで電解電圧を下げて電解電力の低減を図る高温水蒸気電解法が提案されている。しかしながら、この方法でもなお水の分解エネルギーの６０％以上を電力で補う必要がある。この高温水蒸気電解法の改善策として、米国特許６，０５１，１２５では、電解槽の陽極に天然ガスを供給して陽極側への酸素移動に要する電解電圧を低下せしめる方法が提案されているが、この方法は高価な天然ガスを消費する欠点があるのみならず天然ガスと酸素の反応で析出する炭素による電極の汚染を防止する対策が必要になるなどで、実用上問題がある。
【００１２】
これらの問題点を解決する手段として、いわゆる高温水蒸気電解装置において、（１）廃木材・生ごみなどのバイオマスの熱分解ガスが水素と一酸化炭素を主成分とする還元性ガスであること、（２）高温水蒸気電解槽の陽極側に（１）の還元性ガスを供給して陽極側で酸素イオンと反応させることにより電解電圧を大幅に下げ得ること、（３）水素と一酸化炭素を主成分とする（１）の還元性ガスの酸化反応では炭素の析出がなく電極を汚染する恐れがないこと、などの諸事実に着目して、上記還元性ガスを高温水蒸気電解槽の陽極側に供給して、電解電圧を下げた水素の製造装置が提案された（特願２００２−２４９７５４号）。当該特許出願で提案された装置は、固体酸化物電解質を隔膜として使用し、該隔膜を電解槽内に配置して電解槽を陽極側と陰極側とに仕切った高温水蒸気電解槽を用いて水蒸気の電気分解によって水素を製造するにあたって、電解槽の陰極側に高温の水蒸気を供給すると共に電解槽の陽極側に還元性ガスを供給して高温で水蒸気電気分解を行うことにより、電解槽の陰極側において水蒸気の電気分解によって生成した酸素イオンが固体酸化物電解質を通過して陽極側に移動し、そこで還元性ガスと反応することにより、酸素イオンの濃度勾配が生じて、これにより陽極側への酸素移動に要する電圧を低下せしめるというものである。かかる装置においては、７００〜８００℃の高温で水蒸気を分解すると共に、陽極側での酸素の濃度勾配を生じさせることで、極めて効率よい高純度水素の製造を可能にしている。
【発明の開示】
【発明が解決しようとする課題】
【００１３】
上記で説明した高温水蒸気電解法は、電解槽の陽極側に還元性ガスを供給することで、陽極側の酸素を除去する方法であり、７００℃〜８００℃或いはそれ以上の高温で水蒸気を分解することが必要である。一方、現在原子力発電を担う主要な炉型である軽水炉、および近い将来、実用化が期待される高速増殖炉の蒸気発生器から発生する蒸気と高温水蒸気電解との組み合わせは、得られる蒸気の温度領域が軽水炉で最高約３００℃、高速増殖炉で最高約５００℃と、高温ガス炉の９００〜１０００℃に比べ低く、高温水蒸気電解における蒸気供給源の対象とは必ずしも見なされていなかった。これは高温水蒸気電解法での電解電圧が１０００℃での運転でも約１．３Ｖ必要であり、１００℃前後のアルカリ又は固体高分子電解法での１．７〜１．８Ｖと比べ優位差を出すためには出来るだけ高温下での運転が前提となっていたためである。
【００１４】
しかしながら、高温水蒸気電解の熱収支について本発明者らのグループが鋭意検討を重ねた結果、電解槽の陽極側に還元性ガスを陰極側に高温水蒸気を供給するタイプの高温水蒸気電解装置においては、供給する水蒸気並びに還元性ガスの温度が２００〜５００℃であっても、電解槽での約０．５Ｖ程度の過電圧によるジュール熱により、高温水蒸気電解の望ましい運転温度である７００〜８００℃への昇温が可能であることを見出した。
【００１５】
本発明は、かかる知見に基づいて、従来、自身で発電した電力を用いるアルカリ又は固体高分子電解法水素製造が唯一現実に近いとされていた軽水炉及び高速増殖炉においても、電解槽の陽極側に還元性ガスを陰極側に高温水蒸気を供給するタイプの高温水蒸気電解装置を用いることにより、アルカリ又は固体高分子電解法の３０％以下の消費電力で水素製造が可能であることを見出し、完成するに至ったものである。
【課題を解決するための手段】
【００１６】
すなわち、本発明は、一態様においては、固体酸化物電解質を隔膜として用いて電解槽を陽極側と陰極側に仕切った高温水蒸気電解装置の陰極側に水蒸気を供給し、陽極側に還元性ガスを供給して高温で水蒸気電気分解を行うことによって水素を製造する方法において、陰極側に供給する水蒸気として、原子力発電プラントの蒸気発生器からの水蒸気の一部を直接使用することを特徴とする高純度水素の製造方法に関する。
【００１７】
なお、本発明でいう「還元性ガス」とは、下記に説明する水蒸気電解槽において固体酸化物電解質膜を通して電解槽の陽極側に通過してくる酸素と反応して、陽極側での酸素濃度を低下させることのできるガスを意味し、メタンガスや、後述する廃材や生ゴミ、バイオマスなどの熱分解ガス、コークス炉や高炉や石油プラントなどの副生ガスなどが含まれる。
【００１８】
図１に、本発明にかかる固体酸化物電解質膜を用いた高温水蒸気電解による水素の製造装置の基本原理を示す。
【００１９】
高温水蒸気電解槽１１３は、固体酸化物電解質の隔膜１１４によって陽極側１１５と陰極側１１６に仕切られている。高温水蒸気１１９を電解槽の陰極側１１６に、還元性ガス１１０を電解槽の陽極側１１５に供給して、電力１１７をＡＣ−ＤＣ変換器１１８で直流に変換して電解槽に通電すると、陰極側１１６に供給された高温水蒸気１１９は電解作用で水素と酸素に分解される。生成した水素１２０が、高純度水素として回収される。一方、生成した酸素１２１は、固体酸化物電解質の隔膜１１４を選択的に通過して、過電圧の駆動力によって陽極側１１５に移動する。陽極側１１５では、酸素１２１が還元性ガス１１０と反応して消費され、酸素イオンの濃度勾配が形成されるので、酸素が陽極側に移動するのに必要な電圧が下がり、電力消費量は大幅に低減される。
【００２０】
本発明者らのグループは、このような高温水蒸気電解槽内での熱収支バランスを検討した。
例えば、電解槽の陽極側にメタンガスを供給する場合は、電解槽の陽極側及び陰極側での反応及び反応熱は次式の通りである。
【式１】
【００２１】
陽極：ＣＨ４＋２Ｏ２→ＣＯ２＋２Ｈ２Ｏ ：ΔＨ＝−８０３ｋＪ
陰極：４Ｈ２Ｏ→４Ｈ２＋２Ｏ２         ：ΔＨ＝＋９６８ｋＪ
したがって、反応の熱収支はトータルでは１６５ｋＪの吸熱となり、原理的に外部からの熱供給が必要となる。
【００２２】
また、水素と一酸化炭素を主成分とするガスを供給する場合には、電解槽の陽極側及び陰極側での反応は次式の通りである。
【式２】
【００２３】
陽極：２Ｈ２＋Ｏ２→２Ｈ２Ｏ        ：ΔＨ＝−４８４ｋＪ
２ＣＯ＋Ｏ２→２ＣＯ２        ：ΔＨ＝−５６６ｋＪ
陰極：４Ｈ２Ｏ→４Ｈ２＋Ｏ２        ：ΔＨ＝＋９６８ｋＪ
したがって、反応はトータルでは僅かに発熱反応（ΔＨ＝−８１ｋＪ）となり、原理的には外部からの熱供給が必要ないことになる。
【００２４】
陽極に還元性ガスを供給する固体酸化物電解質膜による高温水蒸気電解法では、熱力学的に解析したとき、電気エネルギーは殆ど必要ないこととなるが、実際には陽極過電圧、陰極過電圧、電解質の電気抵抗で消費される電圧が必要である。この過電圧は、０．５Ｖ以下にすることが省電力のために必要である。
【００２５】
０．５Ｖの過電圧は熱となるが、その熱量は、４モルの水を電解する場合には２６０ｋＪ程度である。したがって、電解槽の陽極側にメタンを供給する場合には、この過電圧による発熱が、吸熱反応のエネルギーとして利用される。しかしながら、反応の吸熱は上記で計算したように１６５ｋＪであるので、トータルで２６０−１６５＝９５ｋＪのエネルギーが残り、これが供給ガスを加熱する余力として利用される。
【００２６】
次に、この９５ｋＪのエネルギーで、供給ガスをどの程度加熱できるかについて考察する。電解槽の陽極側にメタンを供給する場合、メタンの熱容量が約５０Ｊ／ｄｅｇ・ｍｏｌなので、例えばメタンを４００℃温度上昇させる場合に必要なエネルギーは２０ｋＪ／ｍｏｌ程度である。一方、陰極側に供給される水蒸気は、メタンの４倍モル使用されるので、水蒸気の熱容量約３７Ｊ／ｍｏｌから、これを４００℃温度上昇させるのに必要なエネルギーは６０ｋＪ程度となる。この合計は約８０ｋＪなので、上述の９５ｋＪの余剰エネルギーで、メタン及び水蒸気を加熱して４００℃温度上昇させることができることになる。すなわち、例えば、４００℃の還元性ガス及び水蒸気を本発明にかかる高温水蒸気電解槽に供給すれば、過電圧による余力のエネルギーで約８００℃まで昇温できることになる。
【００２７】
したがって、高温水蒸気電解槽の陽極側に供給する還元性ガス及び陰極側に供給する高温水蒸気の温度を３００〜５００℃とすれば、０．５Ｖの過電圧をかけることによって、過電圧による発熱によって電解槽内での温度を７００〜９００℃とすることができ。効率的に高温水蒸気電解によって高純度の水素を製造することができる。
【００２８】
また、より高い過電圧をかける場合には、電解槽内での温度上昇をより高くすることができるので、電解槽へ供給する還元性ガス及び水蒸気の温度をより低くすることができる。よって、実用性を考慮すると、本発明によれば、高温水蒸気電解槽の陽極側へ供給する還元性ガスの温度及び陰極側に供給する高温水蒸気の温度は、一般に２００〜５００℃であり、３００〜５００℃がより好ましく、３５０〜４５０℃が更に好ましい。
【００２９】
電解槽の陽極側に、還元性ガスとして一酸化炭素と水素の混合ガスを供給する場合の熱バランスについても上記と同様の熱収支の考察を行うことができ、メタンの場合よりも更に熱収支が良いため、例えば高温水蒸気電解槽の陽極側に供給する還元性ガス及び陰極側に供給する高温水蒸気の温度を２００〜５００℃とすれば、０．５Ｖの過電圧をかけることによって、過電圧による発熱によって電解槽内での温度を７００〜１０００℃とすることができ。効率的に高温水蒸気電解によって高純度の水素を製造することができる。
【００３０】
なお、高温水蒸気電解槽の陽極側或いは陰極側に供給するガスの温度を測定装置で測定し、制御装置を介して、その測定温度に応じて供給する過電圧の値を変えることによって、電解槽内の温度を所望の温度に制御することができる。即ち、供給するガスの温度が比較的高ければ、過電圧の値を例えば０．５Ｖから低下させて電解槽内の温度を７００℃〜１０００℃の範囲内に維持し、一方、供給するガスの温度が比較的低い場合には、過電圧の値を例えば０．５Ｖから上昇させて電解槽内の温度を７００℃〜１０００℃の範囲内の維持することができる。
【００３１】
なお、高温水蒸気電解槽の陽極側に供給する還元性ガスとして、有機物の熱分解により発生させた還元性ガスを使用する場合は、原理的にはトータルで発熱反応になるものの、不純物として二酸化炭素や窒素を含むことから、必ずしもメタンより有利とは言えない。
【００３２】
なお、上記の値は熱ロスなどを考慮していない計算上の熱収支なので、実際にはもう少し加熱する必要がある。しかし、メタンに関しては加熱に要する熱量がたいした大きさではないことから、一旦常温にして脱硫等の前処理を行ってもあまり不利にはならない。むしろ１００℃以下として脱硫することが好ましい。
【００３３】
以上に説明したように、本発明によれば、高温水蒸気電解槽に供給する還元性ガス及び高温水蒸気の温度を２００〜５００℃程度と低く設定することができるので、加圧水型原子力発電プラントの蒸気発生器で生成される２００〜３００℃の蒸気の一部、高速増殖炉型原子力発電プラントの蒸気発生器で生成される３００〜５００℃の蒸気の一部、或いは高温ガス型原子力発電プラントの蒸気発生器で生成される５００〜７００℃の蒸気の一部を、高温水蒸気電解槽に供給する水蒸気として、直接供給することができる。
【００３４】
このように、原子力発電プラントの蒸気発生器からの蒸気の一部を直接高温水蒸気電解槽へ供給することは従来技術においては提案されておらず、蒸気温度を極力高温に維持すると共に、原子炉出力を変更することなく、電力需要に合わせ、水素製造量を変更することで高い設備利用率を維持出来ることができる。特に加圧水型及び高速増殖型原子力発電プラント等の場合、原子炉で発生し一次冷却材で除去された熱が、蒸気発生器で二次系の軽水と熱交換されて蒸気を発生するという間接サイクルのため、生成する蒸気中には放射性物質は含まれず、製造された水素は、原子力発電所内で熱源等に使用出来るのは勿論、一般の需要先へも供給することが可能である。
【００３５】
一方、陽極へ供給する還元性ガスは地域で発生する廃材、生ゴミに加え、国内の原子力発電所立地条件では比較的入手しやすい、農林及び水産業で発生するバイオマスを熱分解して容易に得ることができる。さらには、冷却水の取水口に繁殖する海生生物の消化ガスを用いることも可能である。
【００３６】
次に、本発明を加圧水型原子力発電プラントに適用した水素製造システムの一具体例を図２を参照して説明する。以下の説明は、運転の一具体例について記載したもので、本発明はかかる記載に限定されるものではない。
【００３７】
図２に示すシステムにおいて、原子炉１の核分裂反応により約３２５℃に加温された加熱水は、１次系ループを通り、蒸気発生器２に導入され、２次系との熱交換を行った後に、再び原子炉に戻される。蒸気発生器２の２次系に導入された復水は約２８０℃の蒸気となり、タービン３を駆動させて発電を行った後、復水器４で冷却され復水にされた後、再び蒸気発生器２に戻される。
【００３８】
一方、高温水蒸気電気分解装置５は、固体酸化物電解質（安定化ジルコニアなど）を隔膜として用いて電解槽を陽極側と陰極側に仕切った装置で、その陽極側に還元性ガスを、陰極側に水蒸気を供給し、陽極側の酸素イオンを還元性ガスと反応させることにより、酸素イオンの濃度勾配を生じさせ、従来法に比べて低い電解電圧により高純度水素を製造可能にした装置である。
【００３９】
前述のタービン３の高圧側、或いは低圧側より抽気された２００〜２５０℃の蒸気は、高温水蒸気電気分解装置５の陰極側に導入され、高温水蒸気電気分解により酸素イオンが除去され、高純度水素ガスとなる。生成水素ガスは冷却器６で冷却され、スクラバー７によりアンモニア、ヒドラジン等の不純物が除去された後に、水素貯留タンク８に貯留され、所内熱源、或いは一般水素需要に供することができる。ここで、原子力発電プラントの復水系には、腐食抑制剤としてアンモニア、ヒドラジンなどが含まれており、これが蒸気となって生成水素中に混入するが、上記のような後処理を行うことによって、高純度の水素を回収することが可能となる。なお、上記の操作によって、電気分解装置５に供給される分の水が原子力発電プラントの２次系蒸気−復水系から取り出されることになるので、それに見合った量の水を２次系蒸気−復水系に補充することが好ましい。
【００４０】
また、発電所に熱分解炉９を設置して、発電施設内、或いは周辺地域より収集される廃材、生ゴミ、並びに水産業や取水口のスクリーン等より回収される海洋生物等のバイオマスを熱分解処理することによってＣＯ、メタンなどを含む還元性ガスを生成させ、これを冷却器１０で冷却した後に、スクラバー１１で洗浄・除塵して、塩酸及び、又は硫酸化合物の濃度を１０ｐｐｍ以下に低減した後、該熱分解炉９で再加温して、高温水蒸気電気分解装置５の陽極側に導入することができる。
【００４１】
電気分解装置５の陽極側に導入された還元性ガスは、酸素イオンとの化学反応により、未燃焼物を含む高温廃ガスとなり、所内ボイラーなどに補助燃料として供給することができる。
【００４２】
本装置のフローは上述の通りであるが、装置の運転は、発電プラントの電力負荷変動に対応して、タービン３の高圧側、或いは低圧側より抽気される２００〜２５０℃の蒸気流量を流量制御弁１２により調整することにより、高温水蒸気電気分解装置５の陰極側に導入される水蒸気量を制御し、製造される水素量を効率的にコントロールすることが可能なように構成することができる。これによって、例えば電力需要が少なくなった場合に、余剰蒸気を水素製造に用いることで、原子力発電プラントの効率的な運転を行うことが可能となる。
【００４３】
本発明によれば、従来の高温水蒸気電気分解法では使用できなかった温度条件の低い加圧水型原子力発電プラントの蒸気が、そのまま使用可能であると共に、バイオマスを有効に利用することにより、高純度で効率的な水素製造が可能となる。
【００４４】
また、他の例として、本発明を高速増殖型原子力発電プラントに適用した水素製造システムの一具体例を図３を参照して説明する。上記と同様に、以下の説明は、運転の一具体例について記載したもので、本発明はかかる記載に限定されるものではない。また、図２の構成と同様の構成については、適宜説明を省略する。
【００４５】
図３に示すシステムにおいては、原子炉１の核分裂反応で約５３０℃に加温された冷却材のナトリウムは、中間熱交換器１３に導入され熱交換されて２次系ループのナトリウムを約５０５℃に加温する。２次系ナトリウムは蒸気発生器２に導入され３次系復水と熱交換を行う。各ループのナトリウムは１次系、２次系の系統内で夫々、循環運転される。
【００４６】
蒸気発生器２の３次系に導入された復水は、ナトリウムと熱交換されて約４８０℃の蒸気となり、タービン３を駆動させて発電を行った後、復水器４で冷却され復水にされた後、再び蒸気発生器２に戻される。
【００４７】
一方、高温水蒸気電気分解装置５は、固体酸化物電解質（安定化ジルコニアなど）を用いた装置で、その陽極側に還元性ガスを、陰極側に水蒸気を供給し、陽極側の酸素イオンを還元性ガスと反応させることにより、酸素イオンの濃度勾配を生じさせ、従来法に比べて低い電解電圧により高純度水素を製造可能にした装置である。
【００４８】
前述のタービン３の高圧側、或いは低圧側より抽気された３００〜４５０℃の蒸気は、高温水蒸気電気分解装置５の陰極側に導入され、高温水蒸気電気分解により酸素イオンが除去され、高純度水素ガスとなる。該水素ガスは冷却器６で冷却され、スクラバー７によりアンモニア、ヒドラジン等の不純物が除去された後に、水素貯留タンク８に貯留され、所内熱源、或いは一般水素需要に供される。なお、図２に示すシステムと同様に、なお、上記の操作によって、電気分解装置５に供給される分の水が原子力発電プラントの３次系蒸気−復水系から取り出されることになるので、それに見合った量の水を３次系蒸気−復水系に補充することが好ましい。
【００４９】
また、発電所に設置される熱分解炉９は、発電施設内、或いは周辺地域より収集される廃材、生ゴミ、並びに水産業や取水口のスクリーン等より回収される海洋生物等のバイオマスを原材料とする熱分解炉であり、ここで熱分解反応により生成されるＣＯ、メタンなどを含む還元性ガスは、冷却器１０で冷却され、スクラバー１１で洗浄・除塵し、塩酸及び、又は硫酸化合物の濃度を１０ｐｐｍ以下に低減した後、該熱分解炉９で再加温され、高温水蒸気電気分解装置５の陽極側に導入される。
【００５０】
導入された還元性ガスは、酸素イオンとの化学反応により、未燃焼物を含む高温廃ガスとなり、所内ボイラーなどに補助燃料として供給される。
本装置のフローは上述の通りであるが、装置の運転は、発電プラントの電力負荷変動に対応して、タービン３の高圧側、或いは低圧側より抽気される３００〜４５０℃の蒸気流量を流量制御弁１２により調整することにより、高温水蒸気電気分解装置５の陰極側に導入される水蒸気量を制御し、製造される水素量を効率的にコントロールすることが可能なようになっている。
【００５１】
本発明によれば、従来の高温水蒸気電気分解法では使用できなかった温度条件の低い高速増殖型原子力発電プラントの蒸気が、そのまま使用可能であると共に、バイオマスを有効に利用することにより、高純度で効率的な水素製造が可能となる。
【００５２】
更に他の例として、本発明を高温ガス型原子力発電プラントに適用した水素製造システムの一具体例を図４を参照して説明する。上記と同様に、以下の説明は、運転の一具体例について記載したもので、本発明はかかる記載に限定されるものではない。また、図２及び図３の構成と同様の構成については、適宜説明を省略する。
【００５３】
図４に示すシステムにおいて、原子炉１の核分裂反応で約１０００℃に加温された冷却材のへリウムは、直接ガスタービン１３を駆動させて発電した後、熱交換器１４に導入され、冷却された後、再び、原子炉に戻される。この１次系ヘリウムループよりヘリウムガスをガスタービン１３の下流、又は上流で一部抜出し、蒸気発生器２に導入し２次系復水と熱交換させる。蒸気発生器２を出たヘリウムガスは、熱交換器１４下流側に合流され、再び、原子炉に戻される。
【００５４】
蒸気発生器２に導入された復水は、約７００〜９００℃のヘリウムと熱交換されて約６００〜７５０℃の蒸気となり、タービン３を駆動させて発電を行った後、復水器４で冷却され復水にされた後、再び蒸気発生器２に戻される。
【００５５】
一方、高温水蒸気電気分解装置５は、固体酸化物電解質（安定化ジルコニアなど）を用いた装置で、その陽極側に還元性ガスを、陰極側に水蒸気を供給し、陽極側の酸素イオンを還元性ガスと反応させることにより、酸素イオンの濃度勾配を生じさせ、従来法に比べて低い電解電圧により高純度水素を製造可能にした装置である。
【００５６】
前述のタービン３の高圧側、或いは低圧側より抽気された５００〜７００℃の蒸気は、高温水蒸気電気分解装置５の陰極側に導入され、高温水蒸気電気分解により酸素イオンが除去され、高純度水素ガスとなる。該水素ガスは冷却器６で冷却され、スクラバー７によりアンモニア、ヒドラジン等の不純物が除去された後に、水素貯留タンク８に貯留され、所内熱源、或いは一般水素需要に供される。なお、図２に示すシステムと同様に、なお、上記の操作によって、電気分解装置５に供給される分の水が原子力発電プラントの２次系蒸気−復水系から取り出されることになるので、それに見合った量の水を２次系蒸気−復水系に補充することが好ましい。
【００５７】
また、発電所に設置される熱分解炉９は、発電施設内、或いは周辺地域より収集される廃材、生ゴミ、並びに水産業や取水口のスクリーン等より回収される海洋生物等のバイオマスを原材料とする熱分解炉であり、ここで熱分解反応により生成されるＣＯ、メタンなどを含む還元性ガスは、冷却器１０で冷却され、スクラバー１１で洗浄・除塵し、塩酸及び、又は硫酸化合物の濃度を１０ｐｐｍ以下に低減した後、該熱分解炉９で再加温され、高温水蒸気電気分解装置５の陽極側に導入される。
【００５８】
導入された還元性ガスは、酸素イオンとの化学反応により、未燃焼物を含む高温廃ガスとなり、所内ボイラーなどに補助燃料として供給される。
本装置のフローは上述の通りであるが、装置の運転は、発電プラントの電力負荷変動に対応して、タービン３の高圧側、或いは低圧側より抽気される５００〜７００℃の蒸気流量を流量制御弁１２により調整することにより、高温水蒸気電気分解装置５の陰極側に導入される水蒸気量を制御し、製造される水素量を効率的にコントロールすることが可能なようになっている。
【００５９】
本発明によれば、従来の高温水蒸気電気分解法では直接使用できなかった温度条件の高温ガス型原子力発電プラントの蒸気が、そのまま使用可能であると共に、バイオマスを有効に利用することにより、高純度で効率的な水素製造が可能となる。
【００６０】
本発明の各種態様は以下の通りである。
１．固体酸化物電解質を隔膜として用いて電解槽を陽極側と陰極側に仕切った高温水蒸気電解装置の陰極側に水蒸気を供給し、陽極側に還元性ガスを供給して高温で水蒸気電気分解を行うことによって水素を製造する方法において、陰極側に供給する水蒸気として、原子力発電プラントの蒸気発生器からの水蒸気の一部を直接使用することを特徴とする高純度水素の製造方法。
【００６１】
２．発生する水素ガス中に含まれるアンモニア、ヒドラジン等の不純物を、スクラバーなどで除去することを特徴とする上記第１項に記載の水素の製造方法。
【００６２】
３．陽極側に供給される還元性ガスとして、原子力発電プラント内に設置した熱分解炉を用いて、発電施設内或いは周辺地域より収集される廃材、生ゴミ、並びに水産業や取水口のスクリーン等により回収される海洋生物等のバイオマスを原料として生成された熱分解ガスを用い、該熱分解ガスは、スクラバーなどで洗浄・除塵して、塩酸及び／又は硫黄化合物の濃度を１０ｐｐｍ以下とすることを特徴とする上記第１項又は第２項に記載の水素の製造方法。
【００６３】
４．原子力発電プラントの蒸気発生器から水素製造装置に供給される水蒸気量を制御することにより、原子力発電プラントの電気出力を制御可能とすると共に余剰蒸気を効率的に利用して、高純度の水素を発生、貯蔵することを特徴とする上記第１項〜第３項のいずれかに記載の水素の製造方法。
【００６４】
５．  水素製造装置に供給される蒸気として、加圧水型原子力発電プラントの蒸気発生器から発生する２００〜３００℃の蒸気を使用することを特徴とする上記第１項〜第４項のいずれかに記載の水素製造方法。
【００６５】
６．水素製造装置に供給される蒸気として、高速増殖型原子力発電プラントの蒸気発生器から発生する３００〜５００℃の蒸気を使用することを特徴とする上記第１項〜第４項のいずれかに記載の水素製造方法。
【００６６】
７．水素製造装置に供給される蒸気として、高温ガス型原子力発電プラントの蒸気発生器から発生する５００〜７００℃の蒸気を使用することを特徴とする上記第１項〜第４項のいずれかに記載の水素製造方法。
【００６７】
８．固体酸化物電解質の隔膜によって陽極側と陰極側に仕切られている電解槽、還元性ガスを電解槽の陽極側に供給する管路、水蒸気を電解槽の陰極側に供給する管路を具備し、電解槽の陰極側に供給する水蒸気として、原子力発電プラントの蒸気発生器からの水蒸気の一部を直接使用することを特徴とする水素の製造装置。
【００６８】
９．電解槽の陰極側から発生する生成水素ガスを処理して、生成水素ガス中に含まれるアンモニア、ヒドラジン等の不純物を除去する手段を更に具備することを特徴とする上記第８項に記載の装置。
【００６９】
１０．廃材、生ゴミ、並びに水産業や取水口のスクリーン等により回収される海洋生物等のバイオマスを熱分解して還元性ガスを生成させる熱分解炉、該熱分解炉で生成させた還元性ガスを処理して塩酸及び／又は硫黄化合物の濃度を１０ｐｐｍ以下とする手段、塩酸及び／又は硫黄化合物の濃度が低減せしめられた還元性ガスを電解槽の陽極側に供給する管路、を更に具備することを特徴とする上記第８項又は第９項に記載の装置。
【産業上の利用可能性】
【００７０】
本発明によれば、従来の高温水蒸気電気分解法では直接使用できないと考えられていた温度条件の原子力発電プラントの蒸気発生器で生成される蒸気の一部を、高温水蒸気電解槽への供給蒸気としてそのまま使用可能であると共に、バイオマスを有効に利用することにより、高純度で効率的な水素製造が可能となる。
【図面の簡単な説明】
【００７１】
【図１】本発明にかかる高温水蒸気電解装置の概念を示す図である。
【図２】本発明を加圧水型原子力発電プラントに適用した水素製造システムの概要を示す図である。
【図３】本発明を高速増殖炉型原子力発電プラントに適用した水素製造システムの概要を示す図である。
【図４】本発明を高温ガス型原子力発電プラントに適用した水素製造システムの概要を示す図である。
【図１】
2005232522.tif 000003
【図２】
2005232522.tif 000004
【図３】
2005232522.tif 000005
【図４】
2005232522.tif 000006